(57)【要約】      （修正有）【課題】異なる視界から色彩の変化を発生させ、艶やかな効果を生み出して利用性を増加させうるのテープを提供する。【解決手段】一種のテープで、カラー層と粘着層を包含し、当該のカラー層は視角の別と色の変化によって、当該粘着層は当該カラー層と貼り合わさっている：当該カラー層は少なくとも二種類の材料が積み重なって構成されており、任意に二つのあい隣り合う材料で異なる屈折率を備えている：当該のカラー層も可撓性基板とコレステロール液晶層によって構成されている。当該コレステロール液晶層と当該の可撓性基板は貼り合っている。【選択図】なし【特許請求の範囲】
【請求項１】
テープにおいて、
カラー層であって、異なる視角で色が変わるカラー層と、
該カラー層に接合された少なくとも一つの粘着層と、
を包含したことを特徴とする、テープ。
【請求項２】
請求項１記載のテープにおいて、該カラー層は少なくとも二種類の材料を積み重ねて形成し、また任意で二つの隣接材料で異なる屈折率をあたえ、また当該材料は光を通すものとすることを特徴とする、テープ。
【請求項３】
請求項１記載のテープにおいて、該粘着層は感圧テープとすることを特徴とする、テープ。
【請求項４】
請求項１記載のテープにおいて、その中の当該カラー層はさらに、
基板であって、可撓性であり、この可撓性基板は光りを通し、少なくともコレステリック液晶層については、該可撓性基板は相貼りあうものとする、上記基板を包含することを特徴とする、テープ。
【請求項５】
請求項１記載のテープにおいて、該カラー層と相貼りあう保護層を更に包含することを特徴とする、テープ。
【発明の詳細な説明】
【技術分野】
【０００１】
本発明は一種のテープに関するものであり、特にその異なる視角により色の変化する色彩層を使用することで、色鮮やかなカラーテープとしている。
【背景技術】
【０００２】
液晶は一般にナマティック、スメスティック、およびコレステリックなどが包含され、このうちコレステリックは層型同様の層状の構造を有しており、全ての層内の分子がナマティック液晶の持つ棒状液状分子の長軸に類似しており、一定方向を選択して主軸が相互に平行排列するものである。また長軸方向は当該層面の線の方向に垂直になっている。各層の分子の長軸方向と近隣層の分子軸の方向は漸次角度を異にしており、このため全体的に見てその液晶分子の長軸方向は螺旋構造を形成している。そして当該螺旋構造は螺旋節距Ｐ（ピッチ）を備えており、コレステリック液晶の分子長軸方向は３６０度回転で経る距離にあり、図１の示すとおり。そのなかの異なる螺旋節距Ｐ（ピッチ）のコレステリック液晶には異なる光学特性がある。
【０００３】
コレステリック液晶の応用領域は広く、光学偏光パネル、台頭モニターおよび液晶モニター装置などの方面も包含しており、またコレステリック液晶には記憶性、光学ダブル安定状態（二つの安定した透射状態の光学現象）の特性もあり、選択的な光フラッシュ、円偏光二色性、および旋光性などの光学性質を備えており、これらの特性はいずれもカラー映像の表示を利用したものである。
【０００４】
また、市場に現存する透明のカラーテープは、一般に単色系と多色系に分かれており、そのうち単色系は二種の製造方式を備えている。（１）色つきの基礎材料を必要な感圧テープに塗布する。あるいは（２）透明の基礎材料を利用して染料に浸した感圧テープに塗布する。また多色系の異なる色の基礎材料を張り合わせた後、再び必要な感圧テープあるいは染料を浸した感圧テープに塗布するものであった。
【０００５】
しかし、これら市販の透明テープは、何種の方向から見ても、単一の単調な色にしか見えず、色彩の艶やかさを表現することができなかった。
【０００６】
このため、本発明は異なる視角から色彩の変化を発生させ、艶やかな效果を生み出して利用性を増加させうる一種のテープを提出するものである。
【発明の開示】
【発明が解決しようとする課題】
【０００７】
本発明の主な目的は、一種のテープを提供することで、それには視角の変化にともない色の変わるカラー層が備わっており、当該カラー層の屈折率が異なる多層膜の光学特性を利用して、特殊な色彩効果の目的を達している。
【０００８】
本発明の次の目的は、一種のテープを提供することで、それには視角の変化にともない色の変わるカラー層が備わっており、当該カラー層はコレステリック液晶の光学特性を利用して、特色色彩効果の目的を達している。
【０００９】
上述の目的を達するため、本発明は一種のテープを提供するものであり、当該テープに包含されるものは：一カラー層で、異なる視角にともない、色が変わる：および少なくとも一つの粘着層があり、それは当該カラー層と相貼りあっている。
【００１０】
比較的良好に、当該カラー層は少なくとも二種類の材料を積み重ねることで構成されており、また任意で隣り合った二つの素材には異なる屈折率がある。
比較的良好に、当該材料は光りを通す。
比較的良好に、少なくとも一つの粘着層は感圧テープである。
比較的良好に、当該色彩層は可撓性基板を包含、および少なくともコレステリック液晶層を有し、当該コレステリック液晶層は当該の可撓性基板と相貼りあう。
比較的良好に、当該可撓性基板は光りを通す。
比較的良好に、当該テープはさらにカラー層と相貼りあう保護層でもある。
比較的良好に、当該保護層はプラスチックから製造されたものである。
【課題を解決するための手段】
【００１１】
請求項１の発明は、テープにおいて、
カラー層であって、異なる視角で色が変わるカラー層と、
該カラー層に接合された少なくとも一つの粘着層と、
を包含したことを特徴とする、テープとしている。
請求項２の発明は、請求項１記載のテープにおいて、該カラー層は少なくとも二種類の材料を積み重ねて形成し、また任意で二つの隣接材料で異なる屈折率をあたえ、また当該材料は光を通すものとすることを特徴とする、テープとしている。
請求項３の発明は、請求項１記載のテープにおいて、該粘着層は感圧テープとすることを特徴とする、テープとしている。
請求項４の発明は、請求項１記載のテープにおいて、その中の当該カラー層はさらに、  基板であって、可撓性であり、この可撓性基板は光りを通し、少なくともコレステリック液晶層については、該可撓性基板は相貼りあうものとする、上記基板を包含することを特徴とする、テープとしている。
請求項５の発明は、請求項１記載のテープにおいて、該カラー層と相貼りあう保護層を更に包含することを特徴とする、テープとしている。
【発明の効果】
【００１２】
本発明の主な目的は、一種のテープを提供することで、それには視角の変化にともない色の変わるカラー層が備わっており、当該カラー層の屈折率が異なる多層膜の光学特性を利用して、特殊な色彩効果の目的を達している。
【発明を実施するための最良の形態】
【００１３】
図２は、本発明のテープへのしくみを示したもので、そこでは第一実施例が示されている。テープ２はカラー層２１と粘着層２２を包含しており、粘着層２２は当該カラー層２１に塗布し、その後サーマルカーリングあるいはUVカーリングを保護古紙、当該粘着層２２当該カラー層２１を緊密に粘着させる。
【００１４】
図３は本発明のテープの部分を拡大して示した図で、そこでは第一実施例を示している。当該のカラー層２１はｘ層薄膜（すなわち薄膜２１１、薄膜２１２、薄膜２１３、薄膜２１４、薄膜２１５と薄膜２１ｘ）で、当該の薄膜２１１、薄膜２１２、薄膜２１３、薄膜２１４、薄膜２１５と薄膜２１ｘでそれぞれ屈折率はｎ２１１、屈折率ｎ２１２、屈折率ｎ２１３、屈折率ｎ２１４、屈折率ｎ２１５と屈折率ｎ２１x となる。このうち、任意の二個は互いに隣り合う薄膜の屈折率が異なる。例えば、屈折率ｎ２１１は屈折率ｎ２１２とは異なり、屈折率ｎ２１２は屈折率ｎ２１３とは異なる、屈折率ｎ２１３は屈折率ｎ２１４と異なり、屈折率ｎ２１４と屈折率ｎ２１５と異なる。および屈折率ｎ２１x-１は屈折率ｎ２１x とは異なる。この種の配置によって、当該カラー層２１は異なる視角によって異なる色彩の変化を見せ、当該テープ２は多種の絢爛たる色彩を見せる。
【００１５】
本発明の比較的よい実施例のなかに、二種の異なる屈折率を持つ薄膜、すなわち上述の薄膜２１１、薄膜２１３、薄膜２１５は同一の材料で（ゆえに屈折率ｎ２１２、屈折率ｎ２１３、屈折率ｎ２１５で同じ）、また薄膜２１２、薄膜２１４はもう一つの同じ材料（ゆえに屈折率ｎ２１１、屈折率ｎ２１３で同じ）。
【００１６】
図４は本発明のテープの仕組みを示した図で、そこでは第二実施例を示している。図２に類似し、テープ２はカラー層３１、粘着層３２を包含し、当該カラー層３１は基板３１１とコレステリック液晶層３１２からなる。まず当該コレステリック液晶層３１２を当該基板３１１上に塗布して固化させ、それを当該カラー層３１とする。続いて、粘着層３２を当該カラー層３１上に塗布（粘着層３２を当該コレステリック液晶層３１２に塗布、あるいは当該基板３１１に塗布）し、その後サーマルカーリングあるいはUVカーリングを施して、当該粘着層３２と当該カラー層３１を緊密に粘着させる。
【００１７】
図５は本発明のテープの部分を拡大して示した図で、そこでは第二の実施例を示している。当該のコレステリック液晶層３１２は螺旋構造の多層コレステリック液晶を呈しており、その螺旋節距Ｐ（ピッチ）で、ゆえに適当にコレステリック液晶層３１２の材料を選択し（すなわち当該螺旋節距Ｐ（ピッチ）の長さを選択）、当該テープ（図の中で示されていない）が光波の中で異なる視角にとって異なる色を示すことが見て取れる。
【００１８】
図６は本発明テープの変化を示した図で、前述の一面テープとはことなり、カラー層６１の両面にそれぞれ粘着層６２ａと粘着層６２ｂを塗布し、両面テープ６とする。
【００１９】
本発明の中で、当該粘着層は周知の感圧テープ（PSA   プレッシャー・  センシティブ・アドへシブ）で、また当該基板は可撓性基板。一面テープの例においても、われわれは保護層とカラー層を貼り合わせ、すなわち当該カラー層の一面は当該粘着層と相貼りあい、またもう一面は当該保護層と相貼りあうことで、当該保護層は透明プラスチックの材質によって作られることとなる。
【００２０】
このように、本発明のテープは視角にともない色が変わる機能を持たせることができ、各種の使用ケースの格差に沿って調整することで、実用性を充満させ、この領域においての突破的な技術とすることができる。
【００２１】
上述のものは、本発明の比較的良好な実施例に過ぎず、本発明の実施範囲を制限するものではない。およそ本発明が申請する特許の範囲はいずれも変化と修飾するもので、みな本発明の特許が包含する範囲内のものである。
【図面の簡単な説明】
【００２２】
【図１】周知の場で発射モニターの断面図。
【図２】本発明のテープの断面を示した図で、第一の実施例を示す。
【図３】本発明のテープの部分拡大図で、そこでは第一の実施例を示す。
【図４】本発明のテープの断面を示した図で、第二の実施例を示す。
【図５】本発明のテープの部分の拡大図で、そこでは第二の実施例を示す。
【図６】本発明のテープの変化を示した図。
【符号の説明】
【００２３】
２  テープ
３  テープ
６  テープ
２１  カラー層
２２  粘着層
３１  カラー層
３２  粘着層
６１  カラー層
６２ａ  粘着層
６２ｂ  粘着層
２１１  薄膜
２１２  薄膜
２１３  薄膜
２１４  薄膜
２１５  薄膜
２１ｘ  薄膜
３１１  基板
３１２  コレステリック液晶層
ｎ２１１屈折率
ｎ２１２屈折率
ｎ２１３屈折率
ｎ２１４屈折率
ｎ２１５屈折率
ｎ２１ｘ屈折率
Ｐ  螺旋節距
【図１】
2006188658.tif 000002
【図２】
2006188658.tif 000003
【図３】
2006188658.tif 000004
【図４】
2006188658.tif 000005
【図５】
2006188658.tif 000006
【図６】
2006188658.tif 000007